【事件の表示】
　特許第６６９０５４１号発明「薬剤払出装置」の特許異議申立事件について、次のとおり決定する。
【結　論】
　特許第６６９０５４１号の請求項１に係る特許を維持する。
【理　由】
第１　手続の経緯
　特許第６６９０５４１号（以下「本件特許」という。）の請求項１〜３に係る特許についての出願は、２０１５年（平成２７年）９月１４日（優先権主張　平成２６年９月２４日、平成２７年２月２６日）を国際出願日とする出願であって、令和２年４月１３日にその特許権の設定登録がされ、令和２年４月２８日に特許掲載公報が発行された。
　その後、その請求項１に係る特許に対し、令和２年１０月２６日に特許異議申立人　中谷浩美（以下「申立人」という。）により特許異議の申立てがされた。
第２　本件発明
　本件特許の請求項１の特許に係る発明（以下「本件発明」という。）は、その特許請求の範囲の請求項１に記載された事項により特定される次のとおりのものである。
「【請求項１】
　薬剤を収容する薬剤収容カセットが複数個配置されるカセット棚と、上記薬剤収容カセットを上記カセット棚から取り出して受渡部へ搬送する動作および上記受渡部上の薬剤収容カセットを上記カセット棚へ戻す動作を実行するカセット搬送部と、上記受渡部に搬送された上記薬剤収容カセットから上記薬剤を取り出し、この取り出した薬剤を出す払出操作部と、上記払出操作部から出される薬剤を薬剤トレイが受け取るように当該薬剤トレイを移動させるトレイ移動部と、を備えており、
　１台の払出操作部につき複数の受渡部が設けられており、各受渡部が上記薬剤収容カセットの受渡位置と上記薬剤の払出位置との間を移動するか、または上記払出操作部が上記複数の受渡部の間を移動することを特徴とする薬剤払出装置。」
第３　申立理由の概要
１　証拠の一覧
　申立人は、証拠として甲第１号証及び甲第２号証（以下それぞれ「甲１」及び「甲２」という。）を提出している。
　　　甲１：特開２００７−２１５５７５号公報
　　　甲２：特開２０１３−１３３２２０号公報
２　申立人が主張する申立理由
　申立人が主張する特許異議申立理由は、概略、以下の申立理由１ないし申立理由３のとおりである。
（１）申立理由１（特許法第２９条第１項第３号）
　本件発明は、本件の優先権主張の日（以下「優先日」という。）前に日本国内又は外国において、頒布された甲１に記載された発明であり、本件発明に係る特許は、特許法第２９条第１項の規定に違反してなされたものであるから、同法第１１３条第２号の規定により取り消されるべきものである。　
（２）申立理由２（特許法第２９条第２項）
　本件発明は、本件の優先日前に日本国内又は外国において、頒布された甲１に記載された発明に基いて、その優先日前にその発明の属する技術の分野における通常の知識を有する者が容易に発明をすることができたものであり、本件発明に係る特許は、特許法第２９条第２項の規定に違反してなされたものであるから、同法１１３条第２号に該当し、取り消すべきである。
（３）申立理由３（特許法第２９条第２項）
　本件発明は、本件の優先日前に日本国内又は外国において、頒布された甲１及び甲２に記載された発明に基いて、その優先日前にその発明の属する技術の分野における通常の知識を有する者が容易に発明をすることができたものであり、本件発明に係る特許は、特許法第２９条第２項の規定に違反してなされたものであるから、同法１１３条第２号に該当し、取り消すべきである。
第４　証拠の記載
１　甲１
　甲１には、「自動薬剤供給システム」に関して、以下の事項が記載されている。（「・・・」は省略を表し、下線は当審が付与した。以下同様である。）
（１）　「【請求項１】
　
薬剤が収容されているボックスを縦横に複数配列すると共に、鉛直方向に移動自在に配置されているボックス収納部と、該ボックス収納部に配置されているボックスを抽出してセットできるボックス選別部に分け、
　
前記ボックス収納部における鉛直方向に一列毎移動させたボックスのうち、選別されたボックスを抽出して前記ボックス選別部方向に搬送するボックス搬送手段と、
　前記ボックス搬送手段により前記ボックス選別部方向に搬送されたボックスに対して、そのボックスを所定の計量手段に載せることで薬剤も含めたボックスの重量を測定する重量測定手段と、
　
前記重量測定手段により重量測定されたボックスを、前記ボックス選別部のボックス載置部に載置すると共に、ボックス載置部に載置されているボックスを鉛直方向に移動させるボックス移動手段と、
　
前記ボックス移動手段によりボックス取出口から取出せるように鉛直方向に移動したボックスに対して、その収容されている薬剤を分配してトレイに載せると共に、当該薬剤の補充を所定の手順に従って行う薬剤抽出手段と、
を備えてなる自動薬剤供給システム。
（２）　「【請求項３】
　
薬剤が収容されているボックスを縦横に複数配列して形成されたボックス収納部と、
　
前記ボックス収納部の前面側を縦横に移動して、所定のボックスを抽出すると共に、該抽出したボックスを所定の取出し自在な選別棚に格納するボックス抽出搬送手段と、
　前記ボックス抽出搬送手段により搬送されるべくボックスに対して、そのボックスを所定の計量手段に載せることで薬剤も含めたボックスの重量を測定する重量測定手段と、
　
前記選別棚に格納されているボックスに対して、その収容されている薬剤を分配してトレイに載せると共に、当該薬剤の補充を所定の手順に従って行う薬剤抽出手段と、
を備えてなる自動薬剤供給システム。
（３）　「【０００３】
　しかしながら、従来技術で説明した錠剤収納取出装置においては、筒状のドラムの外面に複数の錠剤カセット装着台を取付ける構造となっているために、その占有するスペースが結構広くとることになり、
小スペースな例えば、調剤店舗に設置するには不向きである
　又、本装置は、
患者のレセプト（処方箋）を計算するパソコン等と連動するというものではないため、調剤をする際に作業の簡便化を図る構造となっていない
　従って、
患者のレセプトを計算するレセプト専用ＰＣとリンクし、各種の薬剤が種別毎に入った引出し箱（ボックス）を、そのレセプト専用ＰＣから取得された薬剤の順次取り出しが自動的に行い、作業の簡便化が図れる
装置自体が小スペースにも適応できるような構成にする
（４）　「【０００５】
（１）自動薬剤供給システムは、薬剤が収容されているボックスを縦横に複数配列すると共に、鉛直方向に移動自在に配置されているボックス収納部と、該ボックス収納部に配置されているボックスを抽出してセットできるボックス選別部に分け、前記ボックス収納部における鉛直方向に一列毎移動させたボックスのうち、選別されたボックスを抽出して前記ボックス選別部方向に搬送するボックス搬送手段と、前記ボックス搬送手段により前記ボックス選別部方向に搬送されたボックスに対して、そのボックスを所定の計量手段に載せることで薬剤も含めたボックスの重量を測定する重量測定手段と、前記重量測定手段により重量測定されたボックスを、前記ボックス選別部のボックス載置部に載置すると共に、ボックス載置部に載置されているボックスを鉛直方向に移動させるボックス移動手段と、前記ボックス移動手段によりボックス取出口から取出せるように鉛直方向に移動したボックスに対して、その収容されている薬剤を分配してトレイに載せると共に、当該薬剤の補充を所定の手順に従って行う薬剤抽出手段と、を備えてなる。
（２）前記薬剤抽出手段において、薬剤を分配してトレイに載せる様子を所定角度から撮像する撮像手段を備えたことを特徴とする（１）に記載の自動薬剤供給システム。
【０００６】
（３）自動薬剤供給システムは、薬剤が収容されているボックスを縦横に複数配列して形成されたボックス収納部と、前記ボックス収納部の前面側を縦横に移動して、所定のボックスを抽出すると共に、該抽出したボックスを所定の取出し自在な選別棚に格納するボックス抽出搬送手段と、前記ボックス抽出搬送手段により搬送されるべくボックスに対して、そのボックスを所定の計量手段に載せることで薬剤も含めたボックスの重量を測定する重量測定手段と、前記選別棚に格納されているボックスに対して、その収容されている薬剤を分配してトレイに載せると共に、当該薬剤の補充を所定の手順に従って行う薬剤抽出手段と、を備えてなる。
（４）前記薬剤抽出手段において、薬剤を分配してトレイに載せる様子を所定角度から撮像する撮像手段を備えたことを特徴とする（３）に記載の自動薬剤供給システム。
【０００７】
　本発明のように、ボックス（引出し箱）を収納する収納部と、指示された薬剤を選別しておく選別部のそれぞれの棚を設け、この間を自動的に引出し箱を移動させ、指示された薬剤を選択部にまとめることで作業者が間違った錠剤を選択しないように工夫されている。
　又、引出し箱（ボックス）に、ＩＣタグを付け、収納されている薬剤の種類、その使用期限、収納されている重量を読み書きできるようにしたことで、患者に渡す薬剤の種類の間違いを防止でき、更に薬剤の在庫管理等ができる。
　更に、
作業者が取り出す引出し箱（ボックス）
　また、
作業者が薬剤を取り出す
　さらに、作業者が薬剤を引出し箱（ボックス）に収納したり補充するときには、薬剤の箱に描かれているバーコードを読ませ、逐次その引出し箱（ボックス）に付いているＩＣタグとのデータを照合し警報を出したり表示する機能を有することで、間違った薬剤の補充を未然に防止することが可能になる。」
（５）　「
【実施例１】
【０００９】
　本発明に係る
第１実施例の自動薬剤供給システム
薬剤を収納した複数のボックスを整列状態で収納するボックス収納部１１と、ボックス収納部１１におけるボックス１２を選択して取り出し、そのボックス１２の重さを測定すると共に選択されたボックス１２を取り出すボックス選別部１３と、選択されたボックス１２を引き出し、所望の量の薬剤を抽出してトレイ１４に載せる薬剤抽出部１５と、薬剤抽出部１５の近傍位置に複数のトレイ１４を積み重ねて収納してあるトレイ収納部１６と、
トレイ収納部のトレイの横位置にはトレイについているＩＣタグに読み書きをするリーダ／ライタ２１、表示部の近傍位置には、薬剤箱に付いているバーコードを読むバーコードリーダ２２を備えている。
【００１０】
　
ボックス収納部１１は、１行に４個のボックス１２が載置することができるボックス載置部２３を配置し、合計１３行からなるボックス１２を載置するボックス載置部２３を観覧車の如く鉛直方向に移動させる構造となっている。
【００１１】
　又、このボックス収納部１１の上部位置には、選別された特定のボックスを搬送するボックス搬送部２４を設けた構造となっている。
　
ボックス搬送部２４は、配列されているボックスに沿った方向に動く搬送体２５で形成され、この搬送体２５が１行で４個配列されているボックス１２の内、任意の１個を選択して取り出し、ボックス選別部１３方向に搬送する。
ここでの取り出し手法であるが、ボックス１２はボックス載置部２３の両腕にボックス１２の鍔部を単に載せた状態で載置されているため、ボックス本体を少々浮かせるか或はそのまま引張り出すことで簡単に取り出すことができる構成になっている。
　ボックス選別部１３方向に搬送されたボックス１２は、先ず、重量測定部２６に送られ、重量の測定が行われる。この重量測定部２６は電子天秤２７で構成され、その電子天秤２７に薬剤を収容してあるボックス１２を載せることで計量される。
　
計量が終了すると、その計量されたボックス１２は重量測定部２６の奥側にあるボックス収納部１２と同一配列にある観覧車の如く回転するボックス選別部１３に送られ、ボックス選別部１３のボックス載置部にボックスを載置する。
　このボックス選別部１３の観覧車の如く回転する手法は、ボックス収納部１１の観覧車の如く回転する駆動部をそのまま利用する構造でもよく、又は独自に回転駆動する構造であってもよく、要は選別されたボックス１２を薬剤抽出部１５まで下降させて搬送できればよい。
【００１２】
　
ボックス選別部１３は、上述したように観覧車の如く回転する一列のボックス載置部２８を備えた構成になっており、このボックス載置部２８に選択されたボックス１２が載置される。従って複数の錠剤が必要である場合には、複数のボックス載置部２８に複数のボックス１２が載置されることになる。
　
そして、単一或は複数の選択されたボックス１２がボックス載置部２８に載置されると、観覧車が回転して一番最初のボックス１２が錠剤抽出部１５の取出し口２９に導かれる。
　錠剤抽出部１５には、ボックス１２に設けてあるＩＣタグの情報を読み取り或は書き込むためのリーダ／ライタ１９が備えられており、ボックス１２を取り出すときに、ボックス１２に取り付けられているＩＣタグの情報を読み取り、実際に所望の調剤であるか否かの検査、薬剤の種類、その使用期限・収納されている重量等を読み出して、患者に渡す薬剤の種類の過誤防止や薬剤の在庫管理をする。
【００１３】
　
これらの取り出したボックス１２内に収納されている薬剤箱の中から所望の薬剤を取り出して近傍位置にあるトレイ１４に載せる。この作業を薬剤が複数種類であれば、その種類ぶんだけ錠剤抽出部１５からボックス１２を取り出してはそのボックス１２に収納されている錠剤箱内に収められている錠剤を取り出してトレイ１４に載せる作業を行う。
【００１４】
　
トレイ１４はトレイ収納部１６に積層された状態で収納され、一番上のトレイ１４は横に設けてあるリーダ／ライタ２１でトレイ１４に設けてあるＩＣタグの情報を読み出し或は書き込みを行う。
　このように、患者毎に選別した薬剤を一旦まとめて収納するトレイ１４が収納され、このトレイ１４にはＩＣタグを付け、患者の名前等のデータが読み書きできるようにし、患者に渡す時点でリーダ/ライタで照合をして患者の間違いを防止できるようになっている。」（なお、上記記載中の「錠剤抽出部１５」は、甲１の明細書及び図面全体の記載に鑑みて、「薬剤抽出部１５」の誤記と認める。）
（６）　「【００１８】
　さて、ここで患者のレセプトをＩＣタグ用リーダ／ライタで読み込むと、その情報は、ユーザ制御部で処理され、患者の名前、その薬の種類や、量等の情報がマシン制御部に送られる。
【００１９】
　
マシン制御部５３は、記録部６１を備え、ボックスを駆動させたりトレイを駆動させる等の様々な駆動制御をする構成になっており、
積層されているトレイに患者特有の名前を付与するトレイ管理機構部６６と、
を備えた構成になっている。
【００２０】
・・・又、このボックス１２のそれぞれには薬剤箱が収容されているが、この薬剤箱にはバーコードが付されており、そのバーコード情報も錠剤位置管理機構部６２で把握している。そのため、
どこのボックス１２にどのような薬剤箱が収容されているかということを錠剤位置管理機構部６２は予め把握していると共に、そのボックス１２がどこのボックス載置部２３に載置されているかも把握しているのである。
　従って、
ユーザ制御部から患者の処方箋情報を受領したマシン制御部は、先ずその処方箋情報に基づいて、薬剤の種類を特定することで、どこのボックスに収容されているかを特定し、そのボックスがどこのボックス載置部に載置されているかも把握することができるのである。
【００２１】
　
錠剤ボックス機構部６３は、錠剤位置管理機構部６２によるボックスの絶対的な位置関係の把握を利用して、ボックスの移動管理を行うもので、現在目的とするボックスはボックス収納部１１のどの位置に存在するかを把握することで、最も効率良く観覧車の如く回転させることが可能になる。
【００２２】
　ボックス選別機構部６４は、錠剤ボックス機構部６３によりボックスの位置管理情報に基づいて、特定のボックスを抽出できる上部位置に回転させてボックス搬送部２４に移動させるように制御する。ボックス搬送部２４に目的とするボックスが到達すると、次に搬送体２５を移動させて目的とするボックスを薬剤箱を収容した状態で抽出する。そして、薬剤箱を搭載した選別されたボックスは、その重さを量るために重量測定部２６方向に移動され電子天秤２７に載せられて、実際の重さを計量する。この重さを計量することで、今回の薬剤箱に入っている薬剤を差し引くと、残りの薬剤の量が解かり、補充するか否かの判断をすることができのである。
　
計量後は、ボックス選別部１３に移動させ、ボックス載置部２８に載置され、観覧車の如く回転をして下降して薬剤抽出部１５まで下降する。
　
ここで、下降は停止し、薬剤抽出部１５から目的とする薬剤箱を収容したボックスを取り出すことができるのである。
【００２３】
　
トレイ管理機構部６６は、積層してあるトレイを主に管理する機構で、積み重ねてあるトレイに対して、ユーザ制御部５１で取り込んだレセプトに基づいて、その患者のレセプトに応じた薬剤を収容するために、トレイ１４に備えてあるＩＣタグにリーダ／ライタ２１で患者の情報を書き込む操作をしておく。
（７）　「【００２７】
　以上のような構成からなる自動薬剤供給システムにおいて、患者のレセプトを受信してから実際に薬剤をトレイに取り出すまでの装置の動き、処理形態について、図７に示すフローチャートを参照にして、図１乃至図６を参考にして、以下説明する。
【００２８】
　先ず、ユーザ制御部において
患者のレセプト（処方箋）を受信する
　マシン制御部において、
レセプトの情報から錠剤を特定し、ボックスに収納されている錠剤を選別するように、錠剤ボックス機構部６３を制御する。すると、ボックス収納部に収納されているボックスが観覧車の如く回転してボックス搬送部方向に動く。そこで、ボックス搬送部の搬送体が目的とするボックスを選別して搬送し、重量測定部で重量を測定した後にそのボックスはボックス選別部に送られボックス載置部に載せられる。
　
この作業は、レセプトで指定された全ての錠剤について行われ、ボックス選別部のボックス載置部に指定した錠剤を収容しているボックスを載せる（ステップＳＴ１２、ＳＴ１３）。
【００２９】
　
そして、全ての錠剤のセットが完了した時点で、そのボックス選別部のボックス載置部に搭載されているボックスが薬剤抽出部方向に移動して、最初に搭載されたボックスが取出し口から取出せるようになる（ステップＳＴ１４）。
　
引出し口から取出したボックスに収容されている錠剤ケースから必要分の錠剤を取出し、トレイに入れる（ステップＳＴ１５）。
【００３０】
　そして、必要分の錠剤を取出しときに、その錠剤を補充するべきか否かを判断する。これは、
ボックス選別部にボックスが送られたときに重量測定部で重量を測定した結果に基づいて、補充すべきか否かを判断するもので、もし補充する場合には、補充する錠剤ケースに付与されているバーコードを表示部の下部位置に設置されているバーコードリーダで読取る（ステップＳＴ１６、ＳＴ１７）。
　読取ったバーコードが正しい錠剤のバーコードでない場合には、警告を出し、そうではなく正しい錠剤のバーコードである場合には、次に錠剤を補充する（ステップＳＴ１８、ＳＴ１９）。
【００３１】
　
錠剤の補充がなされたボックスは取出し口より仕舞い込むと、次の錠剤のボックスが存在する場合には、取出し口より次のボックスを取出し、同じように必要分の錠剤を取出してトレイに入れる（ステップＳＴ２０、ＳＴ２１）。もし補充が必要であれば、補充の作業をし、全ての錠剤の取出しが完了するまで行う。
【００３２】
　
全ての錠剤の取出しが完了したときに、錠剤が入れられてトレイを取出し、
（８）　「
【実施例２】
【００３３】
　次に、本願発明に係る
第２実施例の自動薬剤供給システム
【００３４】
　第２実施例の自動薬剤供給システムは、図８乃至図１１に示すように、
薬剤ケースを収容したボックス
第１の実施例のように、ボックス収納部のボックス自体を観覧車の如く回転する機構を省き、ボックスは所定位置に固定されていて、その替わりにボックス抽出搬送部がＸ／Ｙ軸方向に動くというところに大きな特徴がある。
【００３５】
　その構成は、図に示すように、
実施例において横６列で縦１６行で合計して９６個のボックスを装着自在な状態で整列状態に配置してなるボックス収納部５２と、このボックス収納部５２の前面側をＸ軸方向或はＹ軸方向に移動してボックス５１自体を抽出して載置するスペースを複数個、実施例においては２個のボックス載置部５３を備えたボックス抽出搬送部５４と、
その表示部５６の下部位置には、ボックス抽出搬送部５４で抽出されたボックス５１を複数個一時保管するための選別棚部５６と、この選別棚部５６の下部位置に積層されたトレイ５７を収納するトレイ収納部５８とから大略構成されている。
【００３６】
　
ボックス抽出搬送部５４は、Ｘ軸方向に駆動する駆動部を備えて左右方向に移動でき、Ｙ軸方向への駆動はボックス収納部５２の左右端に備えてあるＹ軸駆動部５９によりＸ軸も含めて上下方向に移動できる構成となっている。そして、目的とするボックス５１の位置まで移動すると、その目的とするボックス５１を取り出してボックス載置部５３に収納する。ここで、次に必要とするボックス５１が存在する場合には、そのボックス５１の位置まで移動し、そのボックスをもう一つのボックス載置部５３に収納する。２つのボックス５１を収納した時点で、ボックス抽出搬送部５４は、選別棚部５６方向に移動して、選別棚部５６の棚に抽出したボックス５１を収納する。これで、必要とするボックス５１が選別棚部５６の棚に収納され、棚の数、実施例において６個の棚が全て埋まるまでを最大限として、ボックス５１を抽出しては、棚に収納する作業を繰り返し行う。
（９）　「【００３８】
　
トレイ収納部５８は、積層されているトレイ５７のうち、一番上のトレイ５７の横にリーダ／ライター６２が取付けてある。このリーダ／ライタ６２でトレイ５７に設けてあるＩＣタグの情報を読み出し或は書き込みを行う。
　このように、患者毎に選別した薬剤を一旦まとめて収納するトレイ５７が収納され、このトレイ５７にはＩＣタグを付け、患者の名前等のデータが読み書きできるようにし、患者に渡す時点でリーダ／ライタ６２で照合をして患者の間違いを防止できるようになっている。」（なお、上記記載中の「リーダ／ライター６２」の図面の符号は、符号の説明（【００４１】）及び図面の記載からみて、「リーダ／ライター８２」の誤記と認められる。）
（１０）　「【図１】
」
（１１）　「【図３】
」
（１２）　「【図５】
」
（１３）　「【図８】
」
２　甲２
　甲２には、「収納設備」に関して、以下の事項が記載されている。
（１）　「【０００８】
　すなわち、
カセットに収容した状態で薬材シートが収納部に収納されており、錠剤を必要数だけ出庫箇所に出庫するときは、移動基台を収納部用位置に移動させて移動基台が収納部用位置に位置している状態で、収納部の収納位置に収納されているカセットがカセット移動装置にて移動基台側の取出位置に移動される。そして、このようにカセットが移動基台側の取出位置に位置している状態で、カセットから取り出した薬材シートの薬材が必要数となるように、シート移載装置にて１枚又は複数枚の薬材シートがカセットからシート支持体に移載される。
（２）　「【００４０】
〔第１実施形態〕
　以下、本発明に係る収納設備の実施形態を図面に基づいて説明する。
　
本実施形態の収納設備には、複数枚の薬材シートＳがカセット５に収容された状態で収納棚１の収納部２に収納されている。そして、スタッカークレーン３にて、トレー出入庫箇所Ｅ１に入庫されたトレー４を移動基台としての昇降台１２にて支持する状態で受け取り、収納部２に収納されているカセット５から移動基台としての昇降台１２に支持されたトレー４上に薬材シートＳを取り出し、トレー４ごとトレー出入庫箇所Ｅ１（出庫箇所に相当）に搬送して、薬材シートＳを収納部２からトレー出入庫箇所Ｅ１に搬送するように構成されている。
　また、収納部２に収納されているカセット５内の薬材シートＳがなくなる又は残り少なくなると、当該カセット５をスタッカークレーン３にてカセット出入庫箇所Ｅ２に出庫し、カセット出入庫箇所Ｅ２の薬材シートＳが充填されたカセット５を収納部２に収納するように構成されている。
　尚、スタッカークレーン３が、走行台車１１に昇降台１２を昇降自在に案内する昇降マスト１３が立設された搬送装置に相当し、昇降台１２が、移動基台に相当する。
【００４１】
　本実施形態の収納設備は、図１に示すように、収納部２を縦横に複数並べた収納棚１と、薬材シートＳ、トレー４及びカセット５を搬送するスタッカークレーン３と、
トレー出入庫箇所Ｅ１に出庫されたトレー４を外部に向けて搬送し且つ空のトレー４をトレー出入庫箇所Ｅ１に搬送するトレー搬送装置６
【００４２】
　図５に示すように、
薬材シートＳの形態としては、複数個の錠剤を区分けした状態で封入したシート状の錠剤シートＡや、粉末や顆粒を封入した小袋を複数繋げた分包シートＢや、湿布を封入した湿布シートＣがある。
　錠剤シートＡ及び分包シートＢが、薬材を区分けした状態で複数封入した薬材シートＳに相当し、これら錠剤シートＡ及び分包シートＢについては、同種の薬材を区分けされた状態で設定個数封入した完全薬材シートＳ１や完全薬材シートＳ１から一部の薬材が切り取られた端数薬材シート片Ｓ２がある。また、錠剤シートＡ及び分包シートＢには、封入した薬材の種類が異なる複数種類の薬材シートＳがあり、また、平面視でのシートサイズが異なる複数大きさの薬材シートＳがある。尚、分包シートＢについては、小袋を１つの薬材として扱っている。」
（３）　「【００５５】
　
図２に示すように、スタッカークレーン３夫々の昇降台１２には、昇降台１２が収納部用位置に位置している状態において、カセット５を収納部２における収納位置と昇降台１２上の取出位置との間で移載自在なカセット移動装置としてのカセット移載装置１６と、
上述したトレー４と、取出位置のカセット５と切断用箇所Ｅ３とトレー４との間で薬材シートＳを移載自在なシート移載装置１８と、昇降台１２がトレー出入用位置に位置している状態において、トレー４をトレー出入庫箇所Ｅ１に移載する出庫用移載装置としてのトレー移載装置１９と、
【００５６】
　
そして、スタッカークレーン３の夫々は、昇降台１２が収納用位置に位置している状態において、カセット移載装置１６にて収納部２の収納位置に収納されているカセット５を昇降台１２上に移載し、シート移載装置１８にて昇降台１２上のカセット５から薬材シートＳを取り出してトレー４に移載し、薬材シートＳの取り出しが完了したカセット５をカセット移載装置１６にて収納部２の収納位置に収納するように構成されている。
【００５７】
　
また、スタッカークレーン３の夫々は、昇降台１２がトレー出入庫用位置に位置している状態において、薬材シートＳを収容したトレー４をトレー移載装置１９にて昇降台１２上からトレー出入庫箇所Ｅ１に移載するとともに、薬材シートＳを収容していない空のトレー４をトレー移載装置１９にてトレー出入庫箇所Ｅ１から昇降台１２上に移載するように構成されている。
（４）　「【００５９】
　そして、カセット移載装置１６は、カセット５を経路横幅方向の一方側に位置する収納部２から昇降台１２上に移載するときは、まず、移載対象のカセット５が収納されている収納部２に対応する収納部用位置に昇降台１２を位置させる。その後、移載用移動体２２を経路横幅方向の一方側に移動させて移載用移動体２２を昇降台１２から経路横幅方向の一方側に突出させ、経路横幅方向の一方側に位置する引退姿勢の回転フック２３を、収納部２の収納位置に位置するカセット５の被係合部５ａの直下に位置させる。そして、
経路横幅方向の一方側に位置する回転フック２３を係合姿勢に姿勢変更させてカセット５の被係合部５ａに係合させた後、移載用移動体２２を経路横幅方向の他方側に移動させて、カセット５を収納部２の収納位置から昇降台１２上の取出位置に移載するようになっている。
（５）　「【００６１】
  図６に示すように、
トレー移載装置１９は、トレー４に形成された凹入部４ａに下方から係合する状態でトレー４を載置支持する一対のトレー支持体２５を備えて構成されている。トレー支持体２５は、経路長手方向に沿って移動自在に構成されており、図６に示すようなトレー授受用位置と、図８（ｂ）に示すようなトレー授受用位置から経路長手方向に移動したシート受取用位置とに移動自在となっている。
【００６２】
　そして、トレー出入庫箇所Ｅ１との間でトレー４を移載するときに昇降台１２が停止するトレー出入庫用位置として、図６に示すような高位置と、このよりも低い低位置とが設定されており、
昇降台１２からトレー出入庫箇所Ｅ１にトレー４を移載するときは、図６に示すように、トレー４を支持したトレー支持体２５をトレー授受用位置に位置させた状態で、昇降台１２を高位置から低位置に下降移動させることで、トレー４をトレー出入庫箇所Ｅ１に卸して移載するようになっている。
　また、
トレー出入庫箇所Ｅ１から昇降台１２にトレー４を移載するときは、トレー出入庫箇所Ｅ１にトレー４が位置し且つトレー支持体２５をトレー授受用位置に位置させた状態で、昇降台１２を低位置から高位置に上昇移動させることで、トレー支持体２５にてトレー４を掬い取って昇降台１２上に移載するようになっている。
（６）　「【００７０】
　次に、シート移載装置１８について説明する。
　シート移載装置１８は、薬材シートＳにおける上方側を向く面を上方側から吸着保持する吸着保持体３５と、吸着保持体３５を水平方向及び上下方向に移動操作するとともに吸着保持体３５を縦軸心周りに回転操作する保持体用移動操作体３６とを備えて構成されている。そして、シート移載装置１８は、錠剤シートＡを吸着保持する場合は、錠剤シートＡにおける平坦な裏面又は凹凸のある表面のうちの上方側を向く面を吸着保持するように構成されている。
　
シート移載装置１８は、吸着保持体３５の吸着作用と吸着保持体３５の移動及び回転とにより、薬材シートＳの姿勢を水平姿勢に維持した状態で、薬材シートＳを昇降台１２上のカセット５と
トレー４と
の間で移載自在に構成されている。
【００７１】
　具体的には、
移載する薬材シートＳが錠剤シートＡの場合では、シート移載装置１８は、図８において矢印（１）で示すように、切断する必要のない錠剤シートＡを昇降台１２上のカセット５からトレー４に移載し
【００７２】
　また、
シート切断装置１７にて切断された端数薬材シート片Ｓ２のうち、出庫箇所に出庫する出庫対象の端数薬材シート片Ｓ２を、図１０において矢印（３）で示すように、切断用箇所Ｅ３からトレー４に移載し
【００７３】
　
矢印（１）、矢印（２）、矢印（５）で示すような錠剤シートＡをカセット５から移載する場合は、吸着保持体３５にて錠剤シートＡが吸着保持されるが、このとき、カセット５に表向き姿勢で収容されている錠剤シートＡについては吸着保持体３５にて表面が吸着保持され、カセット５に裏向き姿勢で収容されている錠剤シートＡについては吸着保持体３５にて裏面が吸着保持される。
【００７４】
・・・
　そして、シート切断装置１７にて切断された一対の端数薬材シート片Ｓ２のうち、
シート挾持体２７に挾持されていない端数薬材シート片Ｓ２は、矢印（３）で示すように、切断された後に必要に応じて吸着保持体３５による吸着保持を解除することで、切断用箇所Ｅ３からシュート３７内に落下し、出庫対象の端数薬材シート片Ｓ２としてトレー４に収容される。
　ちなみに、矢印（３）に示すように端数薬材シート片Ｓ２を移載する場合は、シュート３７の直下に端数薬材シート片Ｓ２を収容したい収容区画を位置させるように、トレー移載装置１９にてトレー４を経路横幅方向に移動させることで、トレー４に備えられた複数の収容区画のいずれにも端数薬材シート片Ｓ２を収容できるようになっている。
【００７５】
　また、
矢印（１）に示すような、錠剤シートＡをカセット５からトレー４に直接に移載するときは、トレー４をシート受取用位置に位置させた状態で、吸着保持体３５をカセット移載装置１６の横側方で且つトレー４の真上まで移動させたのち、吸着保持体３５による吸着保持を解除することで移載するようになっている。
　ちなみに、矢印（１）に示すように端数薬材シート片Ｓ２を移載する場合は、吸着保持を解除する吸着保持体３５の直下に端数薬材シート片Ｓ２を収容したい収容区画を位置させるように、トレー移載装置１９にてトレー４を経路横幅方向に移動させることで、トレー４に備えられた複数の収容区画のいずれにも錠剤シートＡを収容できるようになっている。
（７）「【図６】
」
（８）　「【図８】
」
（９）　「【図１０】
」
第５　当審の判断
１　甲１に記載された発明
（１）　上記第４の１から、以下の点が理解できる。
ア　上記第４の１（６）及び（７）のそれぞれの下線部の記載によれば、患者の処方箋情報を受信すると、その処方箋情報から薬剤を特定し、その薬剤がどこのボックス１２に収容されているかを特定し、そのボックス１２がボックス収納部１１のどの位置に存在するかを把握した後、ボックス搬送部２４はそのボックス１２をボックス収納部１１からボックス選別部１３のボックス載置部２８に搬送するという処理を行う。
　前記処理は、患者の処方箋情報から特定される薬剤が収容されているボックス１２が、ボックス収納部１１に存在することが前提であると認められる。してみると、上記ボックス選別部１３のボックス載置部２８上にあるボックス１２は、前記処理の前に、ボックス搬送部２４により上記ボックス収納部１１へ戻されると認められる。すなわち、ボックス搬送部２４は、上記ボックス選別部１３のボックス載置部２８上のボックス１２を上記ボックス収納部１１へ戻す動作を実行すると認められる。
イ　第１実施例に係る上記第４の１（５）及び（６）のそれぞれの下線部の記載によれば、ボックス選別部１３は観覧車の如く回転する一列のボックス載置部２８を備えており、ボックス搬送部２４によって前記ボックス選別部１３に搬送され前記ボックス載置部２８に載置されたボックス１２は、前記観覧車が回転することにより、薬剤抽出部１５まで下降して前記薬剤抽出部１５の取出し口２９に導かれ、その後、下降は停止し、前記薬剤抽出部１５からボックス１２を取り出すことができるようになり、その後、前記薬剤抽出部１５からボックス１２を取り出して、取り出したボックス１２内に収納されている薬剤箱の中から薬剤を取り出してトレイ１４に載せる作業が行われると認められる。また、上記第４の１（７）の下線部の記載によれば、ボックス載置部に搭載されているボックスが薬剤抽出部方向に移動して、ボックスが取出し口から取り出せるようになり、その後、前記ボックスを前記取出し口から取り出し、取り出したボックスに収容されている錠剤ケースから薬剤をトレイに入れる作業が行われると認められる。
　これらの点に鑑みれば、薬剤抽出部１５において、上記ボックス載置部２８に搬送された上記ボックス１２から上記薬剤を取り出し、この取り出した薬剤をトレイ１４が受け取るように出す作業が行われること、及びボックス載置部２８が、上記ボックス搬送部２４により上記ボックス１２が上記ボックス載置部２８に載置される位置と、前記ボックス１２が上記薬剤抽出部１５の取出し口２９から取り出すことができる位置との間を移動することが、認められる。
ウ　上記第４の１（５）及び（８）のそれぞれの下線部の記載によれば、甲１には、第１実施例の自動薬剤供給システムと、第２実施例の自動薬剤供給システムとが記載されていると認められる。そして、第１実施例に係る上記第４の１（５）の記載と、第２実施例に係る（８）〜（９）の記載とを対比すると、第２実施例の「ボックス収納部５２」、「ボックス５１」、「選別棚部５６」、「ボックス抽出搬送部５４」、「トレイ５７」、「リーダ／ライタ６２」は、それぞれ第１実施例の「ボックス収納部１１」、「ボックス１２」、「ボックス載置部２８」、「ボックス搬送部２４」、「トレイ１４」、「リーダ／ライタ２１」と同等又は対応する機能を有すると認められる。
　そして、上記アで述べた点については、第２実施例に対しても同様に理解できるものである。
　また、上記イで述べた点について、第２実施例においては、上記選別棚部５６に搬送された上記ボックス５１から上記薬剤を取り出し、この取り出した薬剤をトレイ５７が受け取るように出す作業が行われる領域があると認められる。
（２）　上記第４の１及び前記ア〜イを踏まえると、甲１には次の発明（以下「甲１発明１」という。）が記載されていると認められる。
「薬剤を収容するボックス１２が複数個配置されるボックス収納部１１と、上記ボックス１２を上記ボックス収納部１１から取り出してボックス選別部１３へ搬送する動作を実行するボックス搬送部２４と、上記ボックス１２を薬剤抽出部の近傍位置に移動するボックス選別部１３と、上記ボックス１２から上記薬剤を取り出し、この取り出した薬剤を出す作業が行われる領域である薬剤抽出部１５と、を備えており、
　１つの薬剤抽出部１５につき複数のボックス載置部２８が設けられており、各ボックス載置部２８が、上記ボックス搬送部２４により上記ボックス１２が上記ボックス載置部２８に載置される位置と、上記ボックス１２を上記薬剤抽出部の取出し口２９から取り出すことができる位置との間を移動する自動薬剤供給システム。」
（３）　上記第４の１及び前記ア〜ウを踏まえると、甲１には次の発明（以下「甲１発明２」という。）も記載されていると認められる。
「薬剤を収容するボックス５１が複数個配置されるボックス収納部５２と、ボックス５１自体を抽出して載置するスペースを複数備える選別棚部５６と、上記ボックス５１を上記ボックス収納部５２から取り出して上記選別棚部５６へ搬送する動作および上記選別棚部５６上のボックス５１を上記ボックス収納部５２へ戻す動作を実行するボックス抽出搬送部５４と、上記選別棚部５６に搬送された上記ボックス５１から上記薬剤を取り出し、この取り出した薬剤をトレイ５７が受け取るように出す作業が行われる領域と、を備えている自動薬剤供給システム。」
２　甲１発明１との対比
（１）　本件発明と甲１発明１とを対比すると、甲１発明１の「ボックス１２」は本件発明の「薬剤収容カセット」に、以下同様に「ボックス収納部１１」は「カセット棚」に、「ボックス載置部２８」は「受渡部」に、「ボックス搬送部２４」は「カセット搬送部」に、「トレイ１４」は「薬剤トレイ」に、「ボックス搬送部２４によりボックス１２がボックス載置部２８に載置される位置」は「薬剤収容カセットの受渡位置」に、「ボックス１２を薬剤抽出部の取出し口２９から取り出すことができる位置」は「薬剤の払出位置」に、「自動薬剤供給システム」は「薬剤払出装置」にそれぞれ相当する。
　また、甲１発明１の「この取り出した薬剤を出す作業が行われる領域である薬剤抽出部１５」と本件発明の「この取り出した薬剤を出す払出操作部」とは、その領域において、受渡部に搬送された薬剤収容カセットから薬剤を取り出し、この取り出した薬剤を薬剤トレイが受け取るように出す作業が行われる薬剤取出領域という点において共通する。
　そして、甲１発明１のボックス載置部２８は、ボックス搬送部２４によりボックス１２がボックス載置部２８に載置される位置と、ボックス１２を上記薬剤抽出部の取出し口２９から取り出すことができる位置との間を移動するのであるから、甲１発明１は本件発明と、「１つの薬剤取出部につき複数の受渡部が設けられており、各受渡部が上記薬剤収容カセットの受渡位置と上記薬剤の払出位置との間を移動する」点で共通する。
（２）　したがって、本件発明と甲１発明１とは、以下の点で一致している。
「薬剤を収容する薬剤収容カセットが複数個配置されるカセット棚と、上記薬剤収容カセットを上記カセット棚から取り出して受渡部へ搬送する動作および上記受渡部上の薬剤収容カセットを上記カセット棚へ戻す動作を実行するカセット搬送部と、上記受渡部に搬送された上記薬剤収容カセットから上記薬剤を取り出し、この取り出した薬剤を出す作業が行われる薬剤取出領域と、を備えており、
　１つの薬剤取出領域につき複数の受渡部が設けられており、各受渡部が上記薬剤収容カセットの受渡位置と上記薬剤の払出位置との間を移動する薬剤払出装置。」
（３）　そして、本件発明と甲１発明１とは、下記[相違点１]及び[相違点２]で相違している。
[相違点１]　薬剤取出領域に関し、本件発明の払出操作部は、薬剤収容カセットから薬剤を取り出し、この取り出した薬剤を出すものであるのに対し、甲１発明１の薬剤抽出部１５は、その領域において薬剤収容カセットから薬剤を取り出し、この取り出した薬剤を出す作業が行われるものではあるが、薬剤抽出部１５が主体的に薬剤を取り出し、この取り出した薬剤を出すものではない点。
[相違点２]　本件発明は、払出操作部から出される薬剤を薬剤トレイが受け取れるように当該薬剤トレイを移動させるトレイ移動部を備えているのに対し、甲１発明１は、そのようなトレイ移動部を備えているか不明な点。
３　甲１発明２との対比
（１）　本件発明と甲１発明２とを対比すると、甲１発明１の「ボックス５１」は本件発明の「薬剤収容カセット」に、以下同様に「ボックス収納部５２」は「カセット棚」に、「選別棚部５６」は「受渡部」に、「ボックス抽出搬送部５４」は「カセット搬送部」に、「トレイ５７」は「薬剤トレイ」に、「自動薬剤供給システム」は「薬剤払出装置」にそれぞれ相当する。
　また、甲１発明２の「この取り出した薬剤をトレイ５７が受け取るように出す作業が行われる領域」と本件発明の「この取り出した薬剤を出す払出操作部」とは、その領域において、受渡部に搬送された薬剤収容カセットから薬剤を取り出し、この取り出した薬剤を薬剤トレイが受け取るように出す作業が行われる薬剤取出領域である点において共通する。
（２）　したがって、本件発明と甲１発明２とは、以下の点で一致している。
「薬剤を収容する薬剤収容カセットが複数個配置されるカセット棚と、上記薬剤収容カセットを上記カセット棚から取り出して受渡部へ搬送する動作および上記受渡部上の薬剤収容カセットを上記カセット棚へ戻す動作を実行するカセット搬送部と、上記受渡部に搬送された上記薬剤収容カセットから上記薬剤を取り出し、この取り出した薬剤を出す作業が行われる薬剤取出領域と、を備えており、
　複数の受渡部が設けられている薬剤払出装置。」
（３）　そして、本件発明と甲１発明２とは、上記[相違点１]及び[相違点２]に加え、下記[相違点３]で相違している。
[相違点３]　本件発明は、１台の払出操作部につき複数の受渡部が設けられており、各受渡部が薬剤収容カセットの受渡位置と薬剤の払出位置との間を移動するか、または払出操作部が複数の受渡部の間を移動するのに対し、甲１発明２は、そのような構成を備えていない点。
 
４　相違点の判断
　上記[相違点１]について検討する。
（１）　上記第４の２（１）〜（６）のそれぞれの下線部の記載及び同第４の２（７）〜（９）の図面を参酌すると、甲２には、以下の技術が記載されていると認められる。
「カセット移載装置１６にてカセット５を昇降台１２上に移載し、トレー移載装置１９にてトレー４をシート受取用位置に移動し、シート移載装置１８にて昇降台１２上のカセット５から薬剤シートＳを取り出してシート受取用位置のトレー４に、前記カセット５の移載方向とは直交する方向（図８において矢印（１）で示す方向）で出す収納設備。」
　上記甲２記載の「カセット５」は本件発明の「薬剤収容カセット」に、以下同様に「トレー４」は「トレイ」にそれぞれ相当するから、甲２記載の「シート移載装置１８」は本件発明の「払出操作部」に相当するといえる。
（２）　そこで、甲１発明１又は甲１発明２において、受渡部に搬送された薬剤収容カセットから薬剤を取り出し、この取り出した薬剤を出す作業（以下「払出作業」という。）を行う手段である払出操作部として、甲２記載の「シート移載装置１８」を適用することについて検討する。
ア　上記（１）に記載のとおり、甲２記載のシート移載装置１８は、カセット５を昇降台１２に移載する方向と直交する方向でトレー４に薬剤シートを出すものである。
　一方、上記第４の１（１０）及び（１２）の図示内容によれば、甲１発明１の払出作業が行われる領域である薬剤抽出部１５において、ボックス１２をボックス載置部２８から取り出す方向と直交する方向にはトレイ１４が存在しないことが看て取れる。
　してみると、甲１発明１に単純に甲２記載のシート移載装置１８を適用しても、トレイ１４に薬剤を出すことができず、上記相違点１に係る本件発明の構成とはならない。
イ　また、上記（１）に記載のとおり、甲２記載の技術は、カセット移載装置１６にてカセット５を昇降台１２上に移載し、トレー移載装置１９にてトレー４をシート受取用位置に移動することによって、シートの上記移載方向を可能としていることが分かる。そこで、甲１発明１又は甲１発明２に甲２記載の「シート移載装置１８」とともに「カセット移載装置１６」及び「トレー移載装置１９」を併せて適用することを検討する。
　甲１発明１又は甲１発明２に、甲２記載の上記トレー移載装置１９を適用した場合、甲１発明１又は甲１発明２においてトレイ収納部に積層された状態のトレイ１４は、トレー移載装置１９に移載する必要がある。
　ここで、上記第４の２（５）の下線部に記載されているように、前記トレー移載装置１９は、低位置から高位置に上昇移動することにより、トレーを掬い取って該トレー移載装置１９に移載するものである。しかしながら、甲１発明１又は甲１発明２において、トレイ１４は、上記第４の１（１０）及び（１３）に図示されているように積層された状態にあるため、トレー移載装置１９によって該トレイ１４を掬い取るためには、該トレー移載装置１９は、掬い取る対象となるトレイ１４とその直下にあるトレイ１４との間に挿入する必要があるが、これら積層された状態のトレイ間の側面に挿入することができない。すなわち、甲１発明１又は甲１発明２に、甲２記載の上記技術事項を適用しても、甲１発明１又は甲１発明２における積層された状態のトレイ１４は、該トレー移載装置１９によっては移載することができない。
　したがって、甲２記載のカセット移載装置１６及びシート移載装置１８並びにトレー移載装置１９を甲１発明１又は甲１発明２に適用するに際して、これを阻害する事情があるといえる。
ウ　さらに、甲１発明１又は甲１発明２においてトレイ１４に出す「薬剤」とは、「薬剤箱」、「錠剤ケース」又は「薬剤ケース」に収容された薬剤であるものの、甲２記載の技術において、シート移載装置１８でトレー４に出すものは「薬剤シートＳ」である。
　より詳しくは、上記第４の１（５）、（７）及び（８）のそれぞれの下線部の記載を参酌すると、甲１発明１又は甲１発明２において、ボックス１２内には、「薬剤箱」、「錠剤ケース」又は「薬剤ケース」が収容されており、払出作業においては、この「薬剤箱」、「錠剤ケース」又は「薬剤ケース」の中から薬剤を取り出し、トレイ１４に出す作業が行われるといえる。
　これに対し、上記第４の２（２）及び（６）のそれぞれの下線部の記載に鑑みれば、甲２記載のシート移載装置１８は、カセット５に、上方側を向く面を吸着する面として収容された薬剤シートＳの形態の薬剤を吸着することにより取り出し、この取り出した薬剤をトレー４に出すものであるといえる。
　ここで、甲１発明１又は甲１発明２において、ボックス１２内には、吸着する面が上方側を向くように薬剤シートが収容されているか不明であり、該薬剤収容カセットから薬剤を取り出すためには、該薬剤収容カセットに収容された「薬剤箱」、「錠剤ケース」又は「薬剤ケース」の中から薬剤を取り出す必要がある。さらに、当該「薬剤箱」、「錠剤ケース」又は「薬剤ケース」が蓋を有していることもあり得る。そうすると、カセット５内に吸着する面が上方側を向くように収容された薬剤シートＳを取り出すことを前提としている甲２記載のシート移載装置１８を、甲１発明１又は甲１発明２に適用するには、さらなる創意工夫が必要となるのであって、当業者が容易に想到し得るものであるとはいえない。
（３）　以上を総合して勘案すると、甲１発明１又は甲１発明２には甲２記載の技術を適用することを阻害する要因があるといえる。
　よって、上記相違点１は当業者が容易になし得るものではなく、実質的なものであるから、他の相違点を検討するまでもなく、本件発明は、甲１発明１又は甲１発明２及び甲２に記載された技術事項に基いて、当業者が容易に発明をすることができたものであるといえない。
（４）　上記２〜４の検討を申立理由１〜３について整理する。
　本件発明は、甲１発明１と上記相違点１、２を、甲１発明２と上記相違点１〜３を有し、少なくとも上記相違点１は実質的なものであるから、甲１発明１又は甲１発明２であるとはいえない。
　よって、本件発明は、特許法第２９条第１項第３号に該当しないから、本件発明に係る特許は、申立理由１によって取り消すことはできない。
　また、少なくとも上記相違点１は、甲１発明１又は甲１発明２及び甲２に記載された事項に基いて、当業者が容易に想到できたとはいえない。
　よって、本件発明は、その優先日前に当業者が容易に発明をすることができたものではないから、本件発明に係る特許は、申立理由２、３によって取り消すことはできない。
５　申立人の主張について
（１）　申立人は、特許異議申立書の第１８〜２１ページ及び第２５ページにおいて、上記第４の１（１）及び（４）〜（７）等の記載を総合すると、甲１には、受渡部に載置されたボックスに対して、その収容された薬剤をトレイに載せる「薬剤抽出部」が記載されており、前記「薬剤抽出部」は本件発明の「払出操作部」に相当する、と主張している。
　しかし、上記第５の２（３）に[相違点１]として記載したように、本件発明の払出操作部は、主体として薬剤収容カセットから薬剤を取り出し、この取り出した薬剤を出すものであるのに対し、甲１発明１の薬剤抽出部１５は、その領域において薬剤収容カセットから薬剤を取り出し、この取り出した薬剤を出す作業が行われるものではあるが、薬剤抽出部１５自体が主体的に薬剤を取り出し、この取り出した薬剤を出すものとはいえない。
（２）　申立人は、前記特許異議申立書の第２２〜２３ページ及び第２６〜２７ページにおいて、甲１には、薬剤の取出しを自動的に行うことで作業の簡便化を図るという課題が記載されており、甲１に記載された発明において、作業の簡便化を図るために、取出し口まで搬送されたボックスに対して人が行う薬剤抽出作業を、該ボックスに収用された薬剤を抽出することができる装置で自動化することは、当業者が極めて容易に想到し得る程度のことである旨主張している。
　しかし、たとえ自動化による作業の簡便化を図ることが普遍的な課題であったとしても、甲１発明１又は甲１発明２に対して薬剤抽出作業を具体的にどのように自動化すればよいかは、さらに創意工夫が必要と思われるところ、そのような手段について具体的な証拠が見当たらない以上、当業者が容易に想到し得る程度のこととすることはできない。
（３）よって、申立人の主張はいずれも当を得たものではなく、採用できない。
第６　むすび
　したがって、特許異議の申立ての理由及び証拠によっては、本件発明に係る特許を取り消すことはできない。　
　また、他に本件発明に係る特許を取り消すべき理由を発見しない。
　よって、結論のとおり決定する。
【異議決定日】
令和３年３月３１日（２０２１．３．３１）